(57)【要約】【課題】  高所作業時に作業者の作業スペースを確保することができる上に、バケットの移動時に棒状の本体部を備えた間接活線作業用具が架線等に干渉することなく間接活線作業用具を確実に保持し、作業者や周囲の安全を確保することのできる間接活線作業用具保持装置を提供する。【解決手段】  高所作業車のバケットの側壁の上端部に基端部が枢着されたベースと、間接活線作業用具を保持可能に構成された保持手段とを備え、ベースは、枢着軸を中心に回転することで、バケットの側壁と交差する方向で外方に向けて延出した第一姿勢と、上下方向に延びる第二姿勢とに切り換え可能に構成され、保持手段は、ベースの第一姿勢で上向きになる面上に配置され、且つ、間接活線作業用具の長手方向がベースの延びる方向と対応するように間接活線作業用具を保持可能に構成され、間接活線作業用具の長尺方向にスライド可能に構成されている。【選択図】図１
2010136546.tif 000002
【特許請求の範囲】
【請求項１】
高所作業車のバケットの上下方向に延びる側壁の上端部に基端部が枢着されたベースと、棒状の本体部を備えた間接活線作業用具を保持可能に構成された保持手段とを備え、前記ベースは、枢着軸を中心に回転することで、バケットの側壁と交差する方向で外方に向けて延びる第一姿勢と、上下方向に延びる第二姿勢とに切り換え可能に構成され、前記保持手段は、前記ベースの第一姿勢で上向きになる面上に配置され、且つ、間接活線作業用具の本体部の長手方向がベースの延びる方向と対応するように該間接活線作業用具を保持可能に構成されるとともにベースの延びる方向にスライド可能に構成されていることを特徴とする間接活線作業用具保持装置。
【請求項２】
前記ベースは、プレート状に形成され、第一姿勢で上向きになる面の一部の領域に保持手段が設置されるとともに、第一姿勢になった状態で前記一部の領域以外の他の領域に各種作業用具を載置可能に構成されている請求項１に記載の間接活線作業用具保持装置。
【請求項３】
前記ベースは、バケットの側壁の内面側に枢着され、第二姿勢で側壁の上端から上方に向けて延出した姿勢になる一方、第一姿勢で側壁の上面に支持されるように構成されている請求項１又は２に記載の間接活線作業用具保持装置。
【発明の詳細な説明】
【技術分野】
【０００１】
本発明は、高所作業車のバケット上で作業者が用いる間接活線作業用具を保持するための間接活線作業用具保持装置に関する。
【背景技術】
【０００２】
従来から、架線や電柱等の高所にあるものを対象に作業を行うに当たり、高所作業車が用いられている。かかる高所作業車は、伸長可能に構成されたブームの先端に作業者の乗るバケットが設けられており、ブームの回転・伸長・傾動等でバケットを作業対象の近傍に配置できるようになっている。これにより、高所作業車は、バケットに乗った作業者が各種作業用具や部品等を用いて高所にある作業対象に対する各種作業を行えるようになっている。
【０００３】
ところで、高所作業は、上述の如く、作業者がバケットに乗って各種作業を行うため、バケットには、作業を行うための各種作業用具も一緒に載せられる。そして、バケット内に作業用具を置くと作業者の作業スペースが作業用具に占領されてしまい、作業者の安全性や作業効率が低下するとして、通常、各種作業用具を収納した作業用袋をバケットの側壁の外面側に吊り下げたり、バケットに並設されたウインチのブーム等に吊り下げたりすることで、作業者の作業スペースを確保するようにしている（例えば、特許文献１参照）。
【特許文献１】特開２００６−２１３５０５号公報
【発明の開示】
【発明が解決しようとする課題】
【０００４】
しかしながら、上述の如く、作業用袋をバケットの外側に吊り下げて作業スペースを確保すると、作業者が作業用袋から各種作業用具を取り出すに当たり、作業者はバケットから身体を外側に乗り出した姿勢で各種作業用具を取り出さなければならず、安全性に問題があった。
【０００５】
また、作業用具には、一方向に長手をなした棒状の本体部を備えた間接活線操作棒や絶縁ヤットコ等の間接活線作業用具があり、このように一方向に長手をなしたもの（長尺なもの）を作業用袋に入れると上方に向けての延出量が大きく、作業用袋の配置によっては、作業者の身長よりも上方に延出してしまうことがあり、バケットを上昇（移動）させたときに間接活線作業用具が架線等と接触する虞がある。
【０００６】
さらに、このように一方向に長手をなす本体部を備えた間接活線作業用具を作業用袋に入れると、作業用袋から出た部分が多くなって収容状態が不安定になってしまうため、作業中（作業用具を出し入れ作業）やバケットの移動に伴って作業用袋のバランスが崩れ、間接活線作業用具が落下してしまう虞もある。
【０００７】
このように、従来の作業用袋を用いた作業は、作業者や周囲の安全を確保するのに十分と言えるものではなかった。
【０００８】
そこで、本発明は、高所作業時に作業者の作業スペースを確保することができる上に、バケットの移動時に棒状の本体部を備えた間接活線作業用具が架線等に干渉することなく、作業者や周囲の安全を確保することのできる間接活線作業用具保持装置を提供する。
【課題を解決するための手段】
【０００９】
本発明に係る間接活線作業用具保持装置は、高所作業車のバケットの上下方向に延びる側壁の上端部に基端部が枢着されたベースと、棒状の本体部を備えた間接活線作業用具を保持可能に構成された保持手段とを備え、前記ベースは、枢着軸を中心に回転することで、バケットの側壁と交差する方向で外方に向けて延びる第一姿勢と、上下方向に延びる第二姿勢とに切り換え可能に構成され、前記保持手段は、前記ベースの第一姿勢で上向きになる面上に配置され、且つ、間接活線作業用具の本体部の長手方向がベースの延びる方向と対応するように該間接活線作業用具を保持可能に構成されるとともにベースの延びる方向にスライド可能に構成されていることを特徴とする。なお、ここで、「棒状の本体部を備えた間接活線作業用具」とは、間接活線作業に用いられる工具であって、一方向に長手をなす棒状の本体部を備えた各種工具を意味する。すなわち、「棒状の本体部を備えた間接活線作業用具」とは、例えば、棒状の本体部の先端部に各種先端工具が取り付けられる一方、本体部の基端側に作業者が把持する把持部が設けられた間接活線操作棒や、棒状の本体部の先端に対象物を挟持すべく互いに接離可能な一対の挟持体が設けられる一方、本体部の基端側に作業者が把持する把持部が設けられ、該把持部に一対の挟持体を接離させるためのハンドルが設けられた絶縁ヤットコ等の間接活線作業に用いられる各種工具を意味する。
【００１０】
上記構成の間接活線作業用保持装置によれば、ベースが第二姿勢になった状態で保持手段に保持された間接活線作業用具の本体部が上下方向に延びた態様となる。そして、保持手段をベースの延びる方向（ベースが枢着された基端（側壁側）から先端に向けて延びる方向）にスライドさせることで、該保持手段に保持された間接活線作業用具の上下方向の配置を調整することができる。これにより、間接活線作業用具の本体部が上下方向に延びる姿勢で保持されたとしても、間接活線作業用具が上方側或いは下方側に延出しすぎることがなく、バケットの移動に伴って間接活線作業用具が架線等に接触（干渉）することを防止することができる。
【００１１】
そして、ベースが第二姿勢にあるときに保持手段をスライドさせて間接活線作業用具の配置を調整すると、ベースを第一姿勢にしたときに該ベースの基端側で間接活線作業用具がバケット内（作業者の作業スペース内）に位置する場合があるが、保持手段をベースの先端側にスライドさせることで、間接活線作業用具が作業スペースから退避した状態となり、作業者の作業スペースを確保することができる。また、保持手段は、ベースの第一姿勢で上向きになる面上に設置されているため、ベースが第一姿勢になった状態で、作業者が保持手段から間接活線作業用具を簡単に取り外して各種作業に用いることができる。また、ベースは、第一姿勢になった状態で、バケット（側壁）の上端部から外方に延出した態様になるため、作業者がバケットから身体を乗り出すことなく間接活線作業用具を保持手段に対して着脱することができる。
【００１２】
本発明の一態様として、前記ベースは、プレート状に形成され、第一姿勢で上向きになる面の一部の領域に保持手段が設置されるとともに、第一姿勢になった状態で前記一部の領域以外の他の領域に各種作業用具を載置可能に構成されてもよい。このようにすれば、作業時（ベースが第一姿勢のとき）に、間接活線作業用具に加え、該間接活線作業用具に取り付ける先端工具や、その他の工具を初めとして、絶縁テープや絶縁カバー、圧縮スリーブ等の部品といった各種作業用具をベース上に載置することができる。これにより、高所作業中に作業用袋から各種作業用具を取り出すといった作業を行う必要がなく、作業者の安全をより確実に確保することができる。
【００１３】
本発明の他態様として、前記ベースは、バケットの側壁の内面側に枢着され、第二姿勢で側壁の上端から上方に向けて延出した姿勢になる一方、第一姿勢で側壁の上面に支持されるように構成されてもよい。このようにすれば、ベースを第一姿勢と第二姿勢との間で姿勢変更させるときに、ベースがバケット（作業スペース）内を通過することがなく、作業者がベースの姿勢変更に伴ってベースを躱した姿勢をとる必要がない。また、ベースを第一姿勢で維持させるためにベースを支持する支持手段を設ける必要がなく、構成を簡素化することもできる。
【発明の効果】
【００１４】
以上のように、本発明に係る間接活線作業用具保持装置によれば、高所作業時に作業者の作業スペースを確保することができる上に、バケットの移動時に棒状の本体部を備えた間接活線作業用具が架線等に干渉することなく、作業者や周囲の安全を確保することができるという優れた効果を奏し得る。
【発明を実施するための最良の形態】
【００１５】
以下、本発明の第一実施形態に係る間接活線作業用具保持装置について、添付図面を参照しつつ説明する。
【００１６】
本実施形態に係る間接活線作業用具保持装置は、高所作業車のバケットに取り付けられるもので、図１、図２、図３（ａ）及び図３（ｂ）に示す如く、高所作業車のバケットＢの上下方向に延びる側壁Ｗの上端部に基端部が枢着されたベース１０と、棒状の本体部を備えた間接活線作業用具Ｔを保持可能に構成された保持手段２０とを備えている。
【００１７】
前記ベース１０は、枢着軸を中心に回転することで、バケットＢの側壁Ｗと交差する方向で外方に向けて延びる第一姿勢Ｆ１と、上下方向に延びる第二姿勢Ｆ２とに切り換え可能に構成されている。本実施形態に係るベース１０は、プレート状に形成されている。そして、該ベース１０は、第一姿勢Ｆ１で上向きになる面の一部の領域に保持手段２０が設置されるとともに、第一姿勢Ｆ１になった状態で前記一部の領域以外の他の領域に各種作業用具を載置可能に構成されている。すなわち、本実施形態に係るベース１０は、保持手段２０を支持する機能に加え、各種作業用具を載置するトレイとしても機能するようになっている。
【００１８】
より具体的には、本実施形態に係るベース１０は、長方形状の板状に形成されており、長手方向と直交する方向（以下、短手方向という）の一方の端部が基端部とされ、その基端部がヒンジ１００を介してバケットＢの側壁Ｗの上端部に固定されている。そして、該ベース１０は、バケットＢの側壁Ｗの内面側に枢着され、第二姿勢Ｆ２でバケットＢの上端から上方に向けて延出した姿勢になる一方、第一姿勢Ｆ１でバケットＢの側壁Ｗの上面に支持されるように構成されている。これに伴い、本実施形態に係る間接活線作業用具保持装置１は、ベース１０がバケットＢの上端から上方に向けて延びる第二姿勢Ｆ２（ベース１０が起立した第二姿勢Ｆ２）で、該ベース１０の姿勢を維持させるための姿勢維持手段３０が設けられている。
【００１９】
かかる姿勢維持手段３０には、種々態様のものを採用することができ、本実施形態においては、ベース１０の側面（長手方向の少なくとも何れか一方の端面）に突設されたピン体３００と、先端部がピン体３００に対して係脱可能に構成されるとともに基端部がバケットＢに枢着されたアーム体３０１とで構成されている。かかるアーム体３０１は、図３（ｂ）に示す如く、先端部に長手方向と交差方向に掘り下げられた凹部３０２が形成されており、枢着支点周りで回転させることで、ベース１０が起立した状態で該ベース１０に突設されたピン体３００がアーム体３０１の凹部３０２に嵌り込むようになっている。そして、ピン体３００が凹部３０２内から抜け出ないようにアーム体３０１の先端部には凹部３０２の開口を開閉するためのスライド部材３０３が設けられている。かかるスライド部材３０３は、アーム体３０１の長手方向にスライド可能に設けられており、凹部３０２の開口を閉じた状態と凹部３０２の開口を開放した状態とに切り換わるようになっている。
【００２０】
図１及び図２に戻り、該ベース１０は、長手方向の一端側の略半分の領域が間接活線作業用具Ｔを保持するための保持領域Ｈａに設定される一方、長手方向の他端側の略半分の領域が各種作業工具（例えば、間接活線作業用具Ｔとしての間接活線操作棒に取り付けられる先端工具やその他の工具）や、絶縁カバーや絶縁テープ、圧縮スリーブ等の部品といった作業用具を載置するトレイ領域Ｐａに設定されている。
【００２１】
そして、該ベース１０は、トレイ領域Ｐａ上に載置した作業用具等の落下を防止すべく、一方の面（第一姿勢Ｆ１で上向きになる面）上にトレイ領域Ｐａを画定するように隔壁１１０ａ，１１０ｂ，１１０ｃが立設されている。かかる隔壁１１０ａ，１１０ｂ，１１０ｃは、トレイ領域Ｐａを取り囲むように設けてもよいが、本実施形態においては、ベース１０の短手方向の他端部（先端部）、長手方向の他端部、及び長手方向の中間部の三箇所に設けられている。すなわち、隔壁１１０ａ，１１０ｂ，１１０ｃは、バケットＢ側を開放するように、ベース１０の長手方向の中央部及び他端部に短手方向に延びるように形成されるとともに、ベース１０の短手方向の他端部に長手方向に延びるように形成されている。
【００２２】
前記保持手段２０は、間接活線作業用具Ｔを着脱可能に構成されている。該保持手段２０は、間接活線作業用具Ｔの本体部が長尺な棒状であることを前提に該本体部を保持できるようになっている。より具体的には、棒状の本体部を備えた間接活線作業用具Ｔとして、一方向に長手をなす棒状の本体部の先端部に各種先端工具が取り付けられる一方、本体部の基端側に作業者が把持する把持部が設けられた間接活線操作棒や、一方向に長手をなす棒状の本体部の先端に対象物を挟持すべく互いに接離可能な一対の挟持体が設けられる一方、本体部の基端側に作業者が把持する把持部が設けられ、該把持部に一対の挟持体を接離させるためのハンドルが設けられた絶縁ヤットコ等があり、本実施形態に係る保持手段は、間接活線操作棒や、絶縁ヤットコ等が棒状の本体部を備えていることを前提に、これらの本体部を保持できるように構成されている。
【００２３】
具体的に説明すると、本実施形態に係る保持手段２０は、一つの間接活線作業用具Ｔの本体部を軸線方向に間隔をあけた二箇所で保持するようになっている。すなわち、本実施形態に係る保持手段２０は、間接活線作業用具Ｔを部分的に保持する一対の保持体２００，２００を備えており、該一対の保持体２００，２００が間接活線作業用具Ｔの軸線方向（ベース１０の基端と先端との間）で間隔をあけて配置されている。
【００２４】
各保持体２００，２００は、図４（ａ）に示す如く、前記ベース１０に対して直接的又は間接的に固定される平面視矩形状のベース部２０１と、該ベース部２０１に対して直角又は略直角をなすように、該ベース部２０１の両端から延出した一対の延出片部２０２，２０２とを備えている。そして、一対の延出片部２０２，２０２は、互いに対向する面にベース部２０１から所定距離離れた位置に相手側へ膨出した膨出部２０３，２０３が形成されている。かかる保持体２００，２００は、少なくとも一対の延出片部２０２，２０２が弾性に富む金属製の板材（例えば、バネ鋼）で構成される。本実施形態に係る保持手段２０は、長方形状の板材を曲げ加工することで、ベース部２０１及び一対の延出片部２０２，２０２が一体的に形成されている。
【００２５】
そして、各保持体２００，２００は、一対の延出片部２０２，２０２間に間接活線作業用具Ｔの本体部を介入させることで、該間接活線作業用具Ｔが膨出部２０３，２０３を押して両延出片部２０２，２０２を互いに離間させるように弾性変形させ、該間接活線作業用具Ｔが膨出部２０３，２０３間を通過した状態で一対の延出片部２０２，２０２が弾性で復元し、間接活線作業用具Ｔが一対の延出片部２０２，２０２に挟み込まれるとともに、ベース部２０１及び膨出部２０３，２０３との接触で位置決めされるようになっている。
【００２６】
そして、該間接活線作業用具保持装置１は、図１及び図２に示す如く、保持手段２０がベース１０の延びる方向（本実施形態においてはベース１０の短手方向）にスライド可能に構成されている。本実施形態に係る保持手段２０は、ベース１０の基端側にある第一スライド位置Ｘと、ベース１０の先端側にある第二スライド位置Ｙとの間でスライド可能に設けられている。より具体的には、本実施形態に係る保持手段２０は、当該保持手段２０の少なくとも一部（本実施形態においては一対の保持体２００，２００のうちの一方）がベース１０の基端を超えた外側（バケットＢ側）に位置することになる第一スライド位置Ｘと、当該保持手段２０の少なくとも一部（本実施形態においては一対の保持体２００，２００のうちの他方）がベース１０の先端よりも外方に位置することになる第二スライド位置Ｙとの間でスライド可能に設けられている。これにより、本実施形態に係る間接活線作業用具保持装置１は、ベース１０を第二姿勢Ｆ２にした状態で保持手段２０が第一スライド位置Ｘに位置することで、該保持手段２０が保持した間接活線作業用具ＴがバケットＢに乗った作業者の身長よりも低い位置になるようになっている。
【００２７】
ここで、保持手段２０をスライド可能にするための構成について具体的に説明すると、本実施形態に係る間接活線作業用具保持装置１は、ベース１０上にスライドレール４０が設けられており、該スライドレール４０を介して保持手段２０がベース１０上に間接的に固定されている。
【００２８】
本実施形態において、上述の如く、保持手段２０を第一スライド位置Ｘと第二スライド位置Ｙとの間でスライド可能とすべく、前記スライドレール４０は、図４（ｂ）に示す如く、第一姿勢Ｆ１で上向きになる一方の面上に固定され、ベース１０の基端と先端との間に延びるレール本体４００と、レール本体４００と同方向に延びて該レール本体４００に沿ってスライド可能に設けられた第一スライダー４０１と、第一スライダー４０１と同方向に延びて第一スライダー４０１に沿ってスライド可能に設けられた第二スライダー４０２とを備えている。
【００２９】
そして、前記スライドレール４０は、図４（ａ）に示す如く、レール本体４００と第一スライダー４０１との間に複数のボール４０３…が転動自在に介設されるとともに、第一スライダー４０１と第二スライダー４０２との間にも複数のボール４０４…が転動自在に介設されている。これにより、前記スライドレール４０は、第一スライダー４０１はレール本体４００に対して円滑にスライドでき、また、第二スライダー４０２は、第一スライダー４０１に対して円滑にスライドできるようになっている。
【００３０】
そして、該スライドレール４０は、レール本体４００の長手方向の中央部に図示しない第一ストッパーが設けられるとともに、第一スライダー４０１の長手方向の両端部に設けられた図示しない一対の第一係止片が設けられている。これにより、該スライドレール４０は、図４（ｂ）に示す如く、第一スライダー４０１がレール本体４００の長手方向にスライドしたときに、何れか一方の第一係止片が第一ストッパーに係止されて第一スライダー４０１がレール本体４００から脱落してしまうのを防止するようになっている。
【００３１】
また、該スライドレール４０は、第一スライダー４０１の長手方向の中央部に図示しない第二ストッパーが設けられるとともに、第二スライダー４０２の長手方向の両端部に設けられた図示しない一対の第二係止片が設けられており、第二スライダー４０２が第一スライダー４０１の長手方向にスライドしたときに、何れか一方の第二係止片が第二ストッパーに係止されて第二スライダー４０２が第一スライダー４０１から脱落してしまうのを防止するようになっている。
【００３２】
そして、前記保持手段２０は、ベース部２０１が上記スライドレール４０の第二スライダー４０２に固定されている。本実施形態において、前記保持手段２０は、上述の如く一対の保持体２００，２００で構成されているため、各保持体２００，２００が第二スライダー４０２に対して長手方向に間隔をあけて固定されている。
【００３３】
本実施形態に係る間接活線作業用具保持装置１は、図１及び図２に示す如く、保持手段２０を複数備えており、二つ（或いは、二種類）以上の間接活線作業用具Ｔを保持できるようになっている。そのため、該間接活線作業用具保持装置１は、二本以上のスライドレール４０がベース１０の一方の面上にベース１０の長手方向に間隔をあけて並列に配置されており、各スライドレール４０の第二スライダー４０２に前記保持手段２０（一対の保持体２００，２００）が固定されている。これにより、第一スライダー４０１及び第二スライダー４０２のスライドの組み合わせにより、保持手段２０を第一スライド位置Ｘと第二スライド位置Ｙとに位置変更できるようになっている。
【００３４】
本実施形態に係る間接活線作業用具保持装置１は、以上の構成からなり、続いて、該間接活線作業用具保持装置１の使用態様（作用）について説明することとする。
【００３５】
まず、図２及び図３（ｂ）に示す如く、ベース１０を起立状態にし、該ベース１０を姿勢維持手段３０によって起立状態（第二姿勢Ｆ２）で維持させる。そして、間接活線作業用具Ｔの先端側（先端工具を取り付ける先端部や、絶縁ヤットコの一対の挟持体等）がベース１０の先端側に位置するように保持手段２０に間接活線作業用具Ｔを保持させる。このとき、保持手段２０をベース１０の基端側（第一スライド位置Ｘ）にスライドさせることで、起立したベース１０の先端から上方に延出する間接活線作業用具Ｔの延出量が抑えられた状態になる。
【００３６】
そして、間接活線作業用具Ｔ棒の先端に取り付ける先端工具や、作業に必要なその他の工具、部品等をバケットＢに載せ、作業者がバケットＢに乗って該バケットＢを作業位置に向けて移動させる。なお、先端工具や部品等の作業用具は、作業用袋に収容した状態でバケットＢに載せてもよいし、そのままバケットＢに載せてもよいが、運搬や後の作業性を考慮すれば作業用袋に入れてバケットＢに載せることが好ましい。
【００３７】
そして、上述の如く、間接活線作業用具Ｔの上方に延出する延出量が抑えられているため、バケットＢを作業位置に移動させる際に、間接活線作業用具Ｔが架線等に干渉することが防止される。
【００３８】
そして、バケットＢが作業位置に到達すると、まず、保持手段２０を第二スライド位置Ｙにスライドさせて間接活線作業用具Ｔをベース１０の先端側にスライドさせる。そうすると、バケットＢ内に位置していた間接活線作業用具Ｔの基端側（作業者が把持する把持部）がベース１０と対向した状態になる。この状態で、図１及び図３（ａ）に示す如く、姿勢維持手段３０によるベース１０の姿勢維持を解除し、該ベース１０を枢着支点を中心にして回転（傾動）させ、バケットＢの側壁Ｗの上面にベース１０の他方の面を載置する。この状態で、ベース１０がバケットＢの側壁Ｗに支持され、バケットＢの側壁Ｗから外方に延出した状態になる。そうすると、ベース１０の一方の面（トレイ領域Ｐａ）が上向きになるため、当該トレイ領域Ｐａがトレイとして機能を発揮した状態となり、バケットＢに載せた先端工具や各種部品をベース１０（トレイ領域Ｐａ）上に載置する。
【００３９】
そして、間接活線作業用具Ｔ（間接活線作業用具Ｔ棒や絶縁ヤットコ）や、先端工具、部品等を必要に応じてベース１０上から取って作業が行われる。このようにバケットＢの側壁Ｗに枢着されたベース１０に間接活線作業用具Ｔや各種作業用具を保持（或いは、載置）できることで、作業者がこれらを用いる際にバケットＢから身体を乗り出した姿勢にならずに安全に作業を行うことができる。また、間接活線作業用具Ｔ等の選択等も行い易く作業効率を高めて作業を行うことができる。
【００４０】
そして、作業が完了すると、間接活線作業用具Ｔを保持手段２０に保持させるとともに、トレイ領域Ｐａ上の各種作業用具等をバケットＢ内に載せる。その後、保持手段２０を第二スライド位置Ｙから第一スライド位置Ｘにスライドさせるとともに、第一姿勢Ｆ１であったベース１０を第二姿勢Ｆ２に姿勢変更させるとともに、該ベース１０を姿勢維持手段３０で第二姿勢Ｆ２に維持させ（図２及び図３（ｂ）参照）、バケットＢを次ぎの作業位置に向けて或いは地上に向けて移動させる。このときにおいても、間接活線作業用具Ｔが作業者の身長よりも低い位置にあるため、バケットＢを移動させても架線等に干渉することなくバケットＢを安全且つ円滑に移動させることができる。
【００４１】
以上のように、本実施形態に係る間接活線作業用具保持装置１によれば、高所作業車のバケットＢの上下方向に延びる側壁Ｗの上端部に基端部が枢着されたベース１０と、棒状の本体部を備えた間接活線作業用具Ｔを保持可能に構成された保持手段２０とを備え、前記ベース１０は、枢着軸を中心に回転することで、バケットＢの側壁Ｗと交差する方向で外方に向けて延出した第一姿勢Ｆ１と、上下方向に延びる第二姿勢Ｆ２とに切り換え可能に構成され、前記保持手段２０は、前記ベース１０の第一姿勢Ｆ１で上向きになる面上に配置され、且つ、間接活線作業用具Ｔの長手方向がベース１０の延びる方向と対応するように該間接活線作業用具Ｔを保持可能に構成されるとともに間接活線作業用具Ｔの長尺方向にスライド可能に構成されているため、高所作業時に作業者の作業スペースを確保することができる上に、バケットＢの移動時に間接活線作業用具Ｔが架線等に干渉することなく間接活線作業用具Ｔを確実に保持し、作業者や周囲の安全を確保することができるという優れた効果を奏し得る。
【００４２】
また、前記ベース１０は、プレート状に形成され、第一姿勢Ｆ１で上向きになる面の一部の領域に保持手段２０が設置されるとともに、第一姿勢Ｆ１になった状態で前記一部の領域以外の他の領域に各種作業用具を載置可能に構成されているため、作業時（ベース１０が第一姿勢Ｆ１のとき）に、間接活線作業用具Ｔに加え、該間接活線作業用具Ｔに取り付ける先端工具や、その他の工具、各種部品等といった作業用具をベース１０上に載置することができる。これにより、高所作業中に作業用袋から各種用具や部品を取り出すといった作業を行う必要がなく、作業者の安全をより確実に確保することができる。
【００４３】
さらに、前記ベース１０は、バケットＢの側壁Ｗの内面側に枢着され、第二姿勢Ｆ２でバケットＢの上端から上方に向けて延出した姿勢になる一方、第一姿勢Ｆ１でバケットＢの側壁Ｗの上面に支持されるように構成されているため、ベース１０を第一姿勢Ｆ１と第二姿勢Ｆ２との間で姿勢変更させるときに、ベース１０がバケットＢ（作業スペース）内を通過することがなく、作業者がベース１０の姿勢変更に伴ってベース１０を躱した姿勢をとる必要がない。また、ベース１０を第一姿勢Ｆ１で維持させるためにベース１０を支持する支持手段を設ける必要がなく、構成を簡素化することもできる。さらに、保持手段２０に保持させた間接活線作業用具ＴがバケットＢ内に位置することになり、何らかの原因で保持手段２０から間接活線作業用具Ｔが外れても該間接活線作業用具ＴをバケットＢが受けることになり安全である。
【００４４】
また、前記保持手段２０は、ベース１０の基端よりもバケットＢ側に位置する第一スライド位置Ｘと、ベース１０の先端よりも外方に位置する第二スライド位置Ｙとの間でスライド可能に構成されているため、保持手段２０のスライド量を大きくすることができ、保持手段２０のスライド量によって保持手段２０の配置が制限されることがない。従って、保持手段２０の配置を適正な配置にすることができる。
【００４５】
次に、本発明の第二実施形態に係る間接活線作業用具保持装置について、添付図面を参照しつつ説明する。なお、本実施形態において、第一実施形態の構成と同一又は相当する構成については、同一名称及び同一符号を付すこととする。
【００４６】
本実施形態に係る間接活線作業用具保持装置１は、高所作業車のバケットＢに取り付けられるもので、図５、図６、図７（ａ）及び図７（ｂ）に示す如く、高所作業車のバケットＢの上下方向に延びる側壁Ｗの上端部に基端部が枢着されたベース１０と、棒状の本体部を備えた間接活線作業用具Ｔを保持可能に構成された保持手段２０とを備えている。
【００４７】
前記ベース１０は、枢着軸を中心に回転することで、バケットＢの側壁Ｗと交差する方向で外方に向けて延出した第一姿勢Ｆ１と、上下方向に延びる第二姿勢Ｆ２とに切り換え可能に構成されている。本実施形態に係るベース１０は、プレート状に形成されている。そして、該ベース１０は、第一姿勢Ｆ１で上向きになる面の一部の領域に保持手段２０が設置されるとともに、第一姿勢Ｆ１になった状態で前記一部の領域以外の他の領域に各種作業用具を載置可能に構成されている。すなわち、本実施形態に係るベース１０は、保持手段２０を支持する機能に加え、各種作業用具を載置するトレイとしても機能するようになっている。
【００４８】
より具体的には、本実施形態に係るベース１０は、長方形状の板状に形成されており、長手方向と直交する方向（以下、短手方向という）の一方の端部が基端部とされ、その基端部がヒンジ１００を介してバケットＢの側壁Ｗの上端部に固定されている。そして、本実施形態に係るベース１０は、バケットＢの側壁Ｗの外面側に枢着され、第二姿勢Ｆ２でバケットＢの上端から垂下した姿勢になる一方、第一姿勢Ｆ１でバケットＢの側壁Ｗから外方に延出した姿勢で維持するように構成されている。これに伴い、本実施形態に係る間接活線作業用具保持装置１は、ベース１０を第一姿勢Ｆ１で維持させるための姿勢維持手段５０が設けられている。
【００４９】
かかる姿勢維持手段５０には、種々態様のものを採用することができ、本実施形態においては、図７（ａ）及び図７（ｂ）に示す如く、バケットＢの側壁Ｗの外面に固定されたヒンジ５００と、該ヒンジ５００を介して上下方向に延びる軸回りで回転可能に構成された支持プレート５０１とを備えたものが採用されている。該姿勢維持手段５０は、支持プレート５００の基端部がヒンジ５００に連結されており、支持プレート５０１をヒンジ５００の軸回りで回転させることで、該支持プレート５０１の一方の面及びバケットＢの側壁Ｗの外面が対向する状態と、支持プレート５０１が側壁Ｗの外面から外方に延出した状態との切り換わるようになっている。
【００５０】
これにより、本実施形態に係る間接活線作業用具保持装置１は、ベース１０が垂下する第二姿勢Ｆ２になった状態で、支持プレート５０１がベース１０とバケットＢの側壁Ｗとの間に介在し、ベース１０が外方に延出した第一姿勢Ｆ１になった状態で支持プレート５０１が外方に延出して該ベース１０の他方の面を支持するようになっている。姿勢維持手段５０は、少なくとも一つ設けられればよいが、本実施形態においては、ベース１０の長手方向の両端部を支持できるように、ベース１０の長手方向に間隔をあけて二つ設けられている。
【００５１】
図５及び図６に戻り、本実施形態においても、ベース１０は、長手方向の一端側の略半分の領域が間接活線作業用具Ｔを保持するための保持領域Ｈａに設定される一方、長手方向の他端側の略半分の領域が間接活線作業用具Ｔに取り付ける先端工具や、その他の工具、絶縁カバーや絶縁テープ、圧縮スリーブ等の部品といった作業に必要な作業用具を載置するトレイ領域Ｐａに設定されている。
【００５２】
そして、該ベース１０は、トレイ領域Ｐａ上に載置した作業用具等の落下を防止すべく、一方の面（第一姿勢Ｆ１で上向きになる面）上にトレイ領域Ｐａを画定するように隔壁１１０ａ，１１０ｂ，１１０ｃが立設されている。かかる隔壁１１０ａ，１１０ｂ，１１０ｃも、トレイ領域Ｐａを取り囲むように設けてもよいが、本実施形態においては、ベース１０の短手方向の他端部（先端部）、長手方向の他端部、及び長手方向の中間部の三箇所に設けられている。すなわち、隔壁１１０ａ，１１０ｂ，１１０ｃは、バケットＢ側を開放するように、ベース１０の長手方向の中央部及び他端部に短手方向に延びるように形成されるとともに、ベース１０の短手方向の他端部に長手方向に延びるように形成されている。
【００５３】
そして、本実施形態に係る間接活線作業用具保持装置１は、上述の如く、姿勢維持手段５０として上下方向に延びる軸回りで回転可能な支持プレート５０１を備えたものを採用しているため、ベース１０の他方の面（第一姿勢Ｆ１で下向きになる面）には、図７（ａ）及び図７（ｂ）に示す如く、支持プレート５０１の位置決めを行うためのストッパー１２０が突設されている。かかるストッパー１２０は、ベース１０の長手方向の少なくとも一端縁（短手方向に延びる端縁）に沿って設けられる。
【００５４】
本実施形態においては、上述の如く、姿勢維持手段５０が二つ設けられているため、前記ストッパー１２０は、ベース１０の長手方向の両端縁に沿って設けられている。これにより、支持プレート５０１が該ベース１０を支持した状態で、ベース１０の他方の面の広がる方向（長手方向）でストッパー１２０に係止されるようになっており、支持プレート５０１がベース１０を支持できる位置から外方に向けて（ベース１０に対する支持位置から外れた位置に）回転してしまうのを防止できるようになっている。
【００５５】
そして、前記保持手段２０は、図５、図６、及び図８（ａ）に示す如く、間接活線作業用具Ｔを着脱可能に構成されている。本実施形態に係る保持手段２０は、第一実施形態と同一の構成であり、第一実施形態の説明を参照することとしてここでの説明は割愛することとする。
【００５６】
そして、該間接活線作業用具保持装置１は、図５、及び図６に示す如く、保持手段２０がベース１０の延びる方向（本実施形態においてはベース１０の短手方向）にスライド可能に構成されている。本実施形態に係る保持手段２０は、当該保持手段２０の略全てがベース１０上に位置する第一スライド位置Ｘ’と、当該保持手段２０の少なくとも一部（本実施形態においては一対の保持体２００，２００のうちの他方）がベース１０の先端よりも外方に位置する第二スライド位置Ｙ’との間でスライド可能に構成されている。これにより、本実施形態に係る間接活線作業用具保持装置１は、ベース１０を第二姿勢Ｆ２にした状態で保持手段２０が第一スライド位置Ｘに位置することで、該保持手段２０が保持した間接活線作業用具ＴがバケットＢに乗った作業者の身長よりも低い位置になるようになっている。
【００５７】
ここで、保持手段２０をスライドさせる構成について具体的に説明すると、本実施形態に係る間接活線作業用具保持装置１は、ベース１０上にスライドレール４０が設けられており、該スライドレール４０を介して保持手段２０がベース１０上に間接的に固定されている。
【００５８】
本実施形態において、上述の如く、保持手段２０を第一スライド位置Ｘと第二スライド位置Ｙとの間でスライド可能とすべく、前記スライドレール４０は、図８（ｂ）に示す如く、第一姿勢Ｆ１で上向きになる面上に固定され、ベース１０の基端と先端との間に延びるレール本体４００’と、レール本体４００と同方向に延びて該レール本体４００’に沿ってスライド可能に設けられたスライダー４０１’とを備えている。
【００５９】
そして、前記スライドレール４０は、図８（ａ）に示す如く、レール本体４００’とスライダー４０１’との間に複数のボール４０３’…が転動自在に介設されている。これにより、前記スライドレール４０は、スライダー４０１’がレール本体４００’に対して円滑にスライドできるようになっている。
【００６０】
そして、該スライドレール４０は、レール本体４００’の長手方向の両端部に図示しないストッパーが設けられるとともに、スライダー４０１’の長手方向の一端部に図示しない第一係止片が設けられている。これにより、該スライドレール４０は、スライダー４０１’がレール本体４００’の長手方向にスライドしたときに、第一係止片が何れか一方のストッパーに係止されてスライダー４０１’がレール本体４００’から脱落してしまうのを防止するようになっている。
【００６１】
そして、前記保持手段２０は、ベース部２０１が上記スライドレール４０のスライダー４０１’に固定されている。本実施形態において、前記保持手段２０は、上述の如く一対の保持体２００，２００で構成されているため、各保持体２００，２００がスライダー４０１’に対して長手方向に間隔をあけて固定されている。
【００６２】
本実施形態に係る間接活線作業用具保持装置１は、第一実施形態と同様に、図５及び図６に示す如く、保持手段２０を複数備えており、二つ（或いは、二種類）以上の間接活線作業用具Ｔを保持できるようになっている。そのため、該間接活線作業用具保持装置１は、二本以上のスライドレール４０がベース１０の一方の面上にベース１０の長手方向に間隔をあけて並列に配置されており、各スライドレール４０のスライダー４０１’に前記保持手段２０（一対の保持体２００，２００）が固定されている。
【００６３】
本実施形態に係る間接活線作業用具保持装置１は、以上の構成からなり、続いて、該間接活線作業用具保持装置１の使用態様（作用）について説明することとする。
【００６４】
まず、図６及び図７（ｂ）に示す如く、ベース１０を垂下状態にし、間接活線作業用具Ｔの先端側（先端工具を取り付ける先端部や、絶縁ヤットコの一対の挟持体等）がベース１０の先端側に位置するように保持手段２０に間接活線作業用具Ｔを保持させる。このとき、保持手段２０をベース１０の基端側（第一スライド位置Ｘ）にスライドさせておくことで、間接活線作業用具ＴがバケットＢの底よりも下方に突出して地面と干渉することを防止することができる。なお、特に言及しなかったが、第一スライド位置Ｘに位置した状態でスライダー４０１’をレール本体４００’に対して一時的に係止させる係止手段（図示しない）を設けることが好ましく、このように係止手段でスライダー４０１’の配置を位置決めすることで、間接活線作業用具Ｔを適正な配置に容易に調整することができる。
【００６５】
そして、間接活線作業用具Ｔ棒の先端に取り付ける先端工具や作業に必要な部品をバケットＢに載せ、作業者がバケットＢに乗って該バケットＢを作業位置に向けて移動させる。なお、この場合においても、先端工具や部品等の作業用具は、作業用袋に収容した状態でバケットＢに載せてもよいし、そのままバケットＢに載せてもよいが、運搬や後の作業性を考慮すれば作業用袋に入れてバケットＢに載せることが好ましい。
【００６６】
そして、上述の如く、バケットＢが地上にあるときにスライダー４０１’をレール本体４００’に対して一時的に係止させる場合には、間接活線作業用具Ｔが上方側に移動（スライド）した状態になっているため、バケットＢが移動し始めた後（好ましくは、作業位置に到達したとき）に、係止手段による係止を解除して保持手段２０を第二スライド位置Ｙにスライドさせて間接活線作業用具Ｔを下方側に位置変更させる。
【００６７】
そして、バケットＢが作業位置に到達すると、図５及び図７（ａ）に示す如く、第二姿勢Ｆ２にあるベース１０を第一姿勢Ｆ１にする。なお、上述の如く、保持手段２０が第一スライド位置Ｘで位置している場合には、ベース１０を第二姿勢Ｆ２にするに伴って間接活線作業用具Ｔの基端部がバケットＢ内に位置することになるため、予め保持手段２０を第二スライド位置Ｙにスライドさせた上でベース１０を第二姿勢Ｆ２にする。
【００６８】
そして、姿勢維持手段５０の支持プレート５０１をヒンジ５００の軸回りで回転させ、該支持プレート５０１をバケットＢの側壁Ｗから外方に延出した状態にしてベース１０の下方に配置し、バケットＢを支持プレート５０１上に配置する。これにより、ベース１０は、支持プレート５０１に支持され、バケットＢの側壁Ｗから外方に延出した状態になる。そうすると、ベース１０の一方の面（トレイ領域Ｐａ）が上向きになるため、当該トレイ領域Ｐａがトレイとして機能を発揮した状態となり、バケットＢに載せた先端工具や各種部品をベース１０（トレイ領域Ｐａ）上に載置する。
【００６９】
そして、間接活線作業用具Ｔ（間接活線操作棒、絶縁ヤットコ）や、先端工具、部品等を必要に応じてベース１０上から取って各種作業が行われる。このようにバケットＢの側壁Ｗに枢着されたベース１０に間接活線作業用具Ｔや各種作業用具を保持（或いは、載置）できることで、作業者がこれらを用いる際にバケットＢから身体を乗り出した姿勢にならずに安全に作業を行うことができる。また、間接活線作業用具Ｔ等の選択等も行い易く作業効率を高めて作業を行うことができる。
【００７０】
そして、作業が完了すると、間接活線作業用具Ｔを保持手段２０に保持させるとともに、トレイ領域Ｐａ上の各種作業用具等をバケットＢ内に載せる。その後、支持プレート５０１を回転させてベース１０を第二姿勢Ｆ２に姿勢変更させ（図６及び図７（ｂ）参照）、バケットＢを次ぎの作業位置に向けて或いは地上に向けて移動させる。このときにおいても、間接活線作業用具Ｔが作業者の身長よりも低い位置にあるため、バケットＢを移動させても架線等に干渉することなくバケットＢを安全且つ円滑に移動させることができる。なお、バケットＢを移動させる場合、保持手段２０を第二スライド位置Ｙ’に位置させたままでもよいが、該保持手段２０が保持した間接活線作業用具ＴがバケットＢの底よりも下方に延出するような場合であって、該間接活線作業用具ＴがバケットＢの下方にあるもの（例えば、地面等）に接触する虞がある場合には、保持手段２０を第一スライド位置Ｘ’にスライドさせておくことは勿論のことである。
【００７１】
以上のように、本実施形態に係る間接活線作業用具保持装置１によれば、高所作業車のバケットＢの上下方向に延びる側壁Ｗの上端部に基端部が枢着されたベース１０と、棒状の本体部を備えた間接活線作業用具Ｔを保持可能に構成された保持手段２０とを備え、前記ベース１０は、枢着軸を中心に回転することで、バケットＢの側壁Ｗと交差する方向で外方に向けて延出した第一姿勢Ｆ１と、上下方向に延びる第二姿勢Ｆ２とに切り換え可能に構成され、前記保持手段２０は、前記ベース１０の第一姿勢Ｆ１で上向きになる面上に配置され、且つ、間接活線作業用具Ｔの長手方向がベース１０の延びる方向と対応するように該間接活線作業用具Ｔを保持可能に構成されるとともにベース１０の延びる方向にスライド可能に構成されているため、高所作業時に作業者の作業スペースを確保することができる上に、バケットＢの移動時に間接活線作業用具Ｔが架線等に干渉することなく間接活線作業用具Ｔを確実に保持し、作業者や周囲の安全を確保することができるという優れた効果を奏し得る。
【００７２】
また、前記ベース１０は、プレート状に形成され、第一姿勢Ｆ１で上向きになる面の一部の領域に保持手段２０が設置されるとともに、第一姿勢Ｆ１になった状態で前記一部の領域以外の他の領域に各種作業用具を載置可能に構成されているため、作業時（ベース１０が第一姿勢Ｆ１のとき）に、間接活線作業用具Ｔに加え、該間接活線作業用具Ｔに取り付ける先端工具や、その他の工具、各種部品等といった作業用具をベース１０上に載置することができる。これにより、高所作業中に作業用袋から各種用具や部品を取り出すといった作業を行う必要がなく、作業者の安全をより確実に確保することができる。
【００７３】
尚、本発明の間接活線作業用具保持装置は、上記各実施形態に限定されるものではなく、本発明の要旨を逸脱しない範囲内において種々変更を加え得ることは勿論である。
【００７４】
上記各実施形態において、プレート状のベース１０を採用し、その略半分の領域に保持手段２０を設けるとともにそれ以外の領域をトレイ領域Ｐａにしたが、これに限定されるものではなく、例えば、ベース１０の全面に複数の保持手段２０を設けるようにしてもよい。また、ベース１０はプレート状のものに限定されるものではなく、例えば、ベース１０を棒状や帯板状に構成し、その長手方向の一端部をバケットＢの側壁Ｗに枢着したり、上記スライドレール４０のレール本体４００，４００’をベース１０としてその長手方向の一端部をバケットＢの側壁Ｗに枢着したりしてもよい。従って、保持手段２０を複数設ける場合、保持手段２０毎にベース１０を設けても勿論よい。また、保持手段２０を複数設けたものに限定されるものではなく、例えば、保持手段２０を一つ備えたものであってもよい。すなわち、保持手段２０は少なくとも一つ設けられればよい。
【００７５】
上記各実施形態において、弾性に富む板材を曲げ加工して保持手段２０を形成したが、これに限定されるものではなく、例えば、ベース部２０１と一対の延出片部２０２，２０２とをそれぞれ独立した部材で構成し、これらを連結して保持手段２０としてもよい。また、保持手段２０は、一対の延出片部２０２，２０２を備えたものに限定されるものではなく、例えば、ベース部２０１に対して帯状のベルト材を固定し、該ベルト材の一端側に雄側の面ファスナーを設けるとともに他端側に雌側の面ファスナーを設け、間接活線作業用具Ｔにベルト材を巻き付けて雄雌の面ファスナーを係合させることで間接活線作業用具Ｔを保持するようにしてもよい。また、図示しないが、保持手段２０は、矩形状のベース部と、該ベース部の両端から延出する一対の延出片部と、何れか一方の延出片部の先端部に枢着されるとともに先端部が他方の延出片部の先端に係脱可能に構成された押部材とを備えたものであってもよい。かかる保持部材は、一対の延出片部間に間接活線作業用具Ｔを介入させた状態で押部材の先端部を延出片部に係合させることで、間接活線作業用具Ｔを押部材でベース部側に押さえ込んだ状態で保持することができる。このように保持手段２０は間接活線作業用具Ｔを着脱可能に構成されれば種々態様のものを採用することができる。
【００７６】
上記各実施形態において、スライドレール４０を設けたが、これに限定されるものではなく、例えば、ベース１０の一方の面（第一姿勢Ｆ１で上向きになる面）上に溝を形成し、保持手段２０をベース１０の溝に沿ってスライドさせるようにしてもよい。
【００７７】
上記各実施形態において、間接活線作業用具Ｔを長手方向に間隔をあけて保持する一対の保持体２００，２００で保持手段２０を構成したが、保持手段２０は間接活線作業用具Ｔを二箇所で保持するものに限定されるものではなく、例えば、間接活線作業用具Ｔ（本体部）を軸心方向（長手方向）に間隔をあけて三箇所以上で保持するようにしたものや、間接活線作業用具Ｔ（本体部）の所定範囲を保持するようにしたものであってもよい。
【００７８】
上記第一実施形態において、ベース１０を第二姿勢Ｆ２で維持させる姿勢維持手段３０として、ベース１０に突設したピン体３００と、バケットＢに枢着したアーム体３０１とで構成し、アーム体３０１の先端部に設けた凹部３０２にピン体３００を嵌め込むとともに、アーム体３０１の先端部にスライド可能に設けられたスライド部材３０３でピン体３００が凹部３０２から抜け出るのを防止するようにしたものを採用したが、姿勢維持手段３０は、これに限定されるものではなく、例えば、ベース１０の他方の面（第一姿勢Ｆ１で下側に向く面）に対し、該ベース１０の基端側で出退可能なスライド体を設けるとともに、バケットＢの側壁Ｗの上面にスライド体を挿入する開口を設け、ベース１０が第二姿勢Ｆ２になった状態でスライド体をスライドさせて側壁Ｗの上面に形成された開口に挿入するようにしてもよい。このようにしても、ベース１０を第二姿勢Ｆ２の状態で維持させることができる。
【００７９】
上記第二実施形態において、上下方向に延びるヒンジ５００と、該ヒンジ５００の軸回りで回転可能な支持プレート５０１とで姿勢維持手段５０を構成し、第一姿勢Ｆ１にしたベース１０を支持プレート５０１で支持させるようにしたが、ベース１０を第一姿勢Ｆ１で維持させる姿勢維持手段５０は、上下方向に延びる軸回りで回転可能な支持プレート５０１を備えたものに限定されるものではなく、例えば、図９（ａ）及び図９（ｂ）に示す如く、一端部同士が枢結された一対のリンク体５５０ａ，５５０ｂで構成され、一方のリンク体５５０ａの他端部がバケットＢに枢着されるとともに、他方のリンク体５５０ｂの他端部がベース１０に枢着され、一対のリンク体５５０ａ，５５０ｂが一列に並んだ状態で、何れか一方のリンク体５５０ａ，５５０ｂが他方のリンク体５５０ａ，５５０ｂに係止され、互いに枢結された一端部がヒンジ１００（ベース１０の枢着支点）から離間する方向に移動しないように構成されたものであってもよい。このようにすれば、一対のリンク体５５０ａ，５５０ｂが一列に並んだ状態でベース１０が第一姿勢Ｆ１で維持し、一対のリンク体５５０ａ，５５０ｂが一端部の枢結支点を中心にして回転した状態（折れ曲がった態様）でベース１０を第二姿勢Ｆ２にすることができる。
【図面の簡単な説明】
【００８０】
【図１】本発明の第一実施形態に係る間接活線作業用具保持装置を高所作業車のバケットに取り付けた状態の斜視図であって、ベースを第一姿勢にした状態の斜視図を示す。
【図２】第一実施形態に係る間接活線作業用具保持装置を高所作業車のバケットに取り付けた状態の斜視図であって、ベースを第二姿勢にした状態の斜視図を示す。
【図３】第一実施形態に係る間接活線作業用保持装置の部分拡大図であって、（ａ）は、ベースを第一姿勢にした状態のヒンジ周辺の部分拡大断面図を示し、（ｂ）は、ベースを第二姿勢にした状態のヒンジ周辺の部分拡大断面図を示す。
【図４】第一実施形態に係る間接活線作業用具保持装置の保持手段とスライドレールの説明図であって、（ａ）は、保持手段及びスライドレールの縦断面図を示し、（ｂ）は、保持手段が第二スライド位置にある状態を仮想線で示す一方、保持手段が第一スライド位置にある状態を実線で示したスライドレール及び保持手段の側面図を示す。
【図５】本発明の第二実施形態に係る間接活線作業用具保持装置を高所作業車のバケットに取り付けた状態の斜視図であって、ベースを第一姿勢にした状態の斜視図を示す。
【図６】第二実施形態に係る間接活線作業用具保持装置を高所作業車のバケットに取り付けた状態の斜視図であって、ベースを第二姿勢にした状態の斜視図を示す。
【図７】第二実施形態に係る間接活線作業用保持装置の部分拡大図であって、（ａ）は、ベースを第一姿勢にした状態のヒンジ周辺の部分拡大断面図を示し、（ｂ）は、ベースを第二姿勢にした状態のヒンジ周辺の部分拡大断面図を示す。
【図８】第二実施形態に係る間接活線作業用具保持装置の保持手段とスライドレールの説明図であって、（ａ）は、保持手段及びスライドレールの縦断面図を示し、（ｂ）は、保持手段が第二スライド位置にある状態を仮想線で示す一方、保持手段が第一スライド位置にある状態を実線で示したスライドレール及び保持手段の側面図を示す。
【図９】本発明の他実施形態に係る間接活線作業用保持装置の部分拡大図であって、（ａ）は、ベースを第一姿勢にした状態のヒンジ周辺の部分拡大断面図を示し、（ｂ）は、ベースを第二姿勢にした状態のヒンジ周辺の部分拡大断面図を示す。
【符号の説明】
【００８１】
１…間接活線作業用具保持装置、１０…ベース、２０…保持手段、３０…姿勢維持手段、４０…スライドレール、５０…姿勢維持手段、１００…ヒンジ、１１０ａ，１１０ｂ，１１０ｃ…隔壁、２００，２００…保持体、２０１…ベース部、２０２…延出片部、２０３…膨出部、３００…ピン体、３０１…アーム体、３０２…凹部、３０３…スライド部材、４００，４００’…レール本体、４０１…第一スライダー、４０１’…スライダー、４０２…第二スライダー、４０３，４０３’，４０４，…ボール、５００…ヒンジ、５０１…支持プレート、５５０ａ，５５０ｂ…リンク体、Ｂ…バケット、Ｆ１…第一姿勢、Ｆ２…第二姿勢、Ｈａ…保持領域、Ｐａ…トレイ領域、Ｔ…間接活線作業用具、Ｗ…側壁、Ｘ…第一スライド位置、Ｙ…第二スライド位置
【図１】
2010136546.tif 000003
【図２】
2010136546.tif 000004
【図３】
2010136546.tif 000005
【図４】
2010136546.tif 000006
【図５】
2010136546.tif 000007
【図６】
2010136546.tif 000008
【図７】
2010136546.tif 000009
【図８】
2010136546.tif 000010
【図９】
2010136546.tif 000011